(57)【特許請求の範囲】
【請求項１】
緊急ベアラサービスに用いる、サービスネットワークとのパケットデータ接続を有し、使用を許可されない公衆陸上移動体ネットワーク（ＰＬＭＮ）のアイデンティティである禁止ＰＬＭＮアイデンティティを保存する移動通信装置によって実行される、等価ＰＬＭＮリストを処理する方法であって、前記方法は、
前記サービスネットワークから前記禁止ＰＬＭＮアイデンティティを含む等価ＰＬＭＮリストを受信するステップと、
前記緊急ベアラサービスが完了した後、前記等価ＰＬＭＮリストから前記禁止ＰＬＭＮアイデンティティを除去する除去ステップと、
を含む方法。
【請求項２】
前記サービスネットワークから前記パケットデータ接続を解除するステップを更に含み、
前記除去ステップは、前記パケットデータ接続が解除された後、前記等価ＰＬＭＮリストから前記禁止ＰＬＭＮアイデンティティを除去するステップを含む
請求項１に記載の方法。
【請求項３】
前記除去ステップは、前記移動通信装置がスイッチオフまたは電源オンにされた時、前記禁止ＰＬＭＮアイデンティティを前記等価ＰＬＭＮリストから除去するステップを含む
請求項１に記載の方法。
【請求項４】
前記除去ステップは、ＰＬＭＮ選択手順が行われる前に実行される
請求項１に記載の方法。
【請求項５】
緊急ベアラサービスに用いる、サービスネットワークとのパケットデータ接続を有し、使用を許可されない公衆陸上移動体ネットワーク（ＰＬＭＮ）のアイデンティティである禁止ＰＬＭＮアイデンティティを保存する移動通信装置によって実行されるＰＬＭＮ選択方法であって、前記ＰＬＭＮ選択方法は、
前記サービスネットワークから前記禁止ＰＬＭＮアイデンティティを含む等価ＰＬＭＮリストを受信するステップと、
前記緊急ベアラサービスが完了した後、前記等価ＰＬＭＮリストから前記禁止ＰＬＭＮアイデンティティを選択するのを禁止されるステップと、
を含むＰＬＭＮ選択方法。
【請求項６】
前記サービスネットワークから前記パケットデータ接続を解除するステップを更に含み、
前記移動通信装置は、前記パケットデータ接続が解除された後、前記等価ＰＬＭＮリストから前記禁止ＰＬＭＮアイデンティティを選択するのを禁止される
請求項５に記載のＰＬＭＮ選択方法。
【請求項７】
前記移動通信装置は、前記移動通信装置が電源オンにされた時、前記禁止ＰＬＭＮアイデンティティを前記等価ＰＬＭＮリストから選択するのを禁止される
請求項５に記載のＰＬＭＮ選択方法。
【請求項８】
緊急ベアラサービスに用いる、サービスネットワークとのパケットデータ接続を有する移動通信装置であり、前記移動通信装置は、
使用を許可されない公衆陸上移動体ネットワーク（ＰＬＭＮ）のアイデンティティである禁止ＰＬＭＮアイデンティティを保存するメモリと、
前記サービスネットワークから等価ＰＬＭＮリストを受信する無線モジュールと、
前記緊急ベアラサービスが完了した後、前記等価ＰＬＭＮリストから前記禁止ＰＬＭＮアイデンティティを除去する制御モジュールと、
を含む移動通信装置。
【請求項９】
前記無線モジュールは、無効化メッセージを前記サービスネットワークに更に送信して前記パケットデータ接続を解除し、
前記制御モジュールは、前記パケットデータ接続が解除された後、前記等価ＰＬＭＮリストから前記禁止ＰＬＭＮアイデンティティを除去する
請求項８に記載の移動通信装置。
【請求項１０】
前記制御モジュールは、前記移動通信装置がスイッチオフまたは電源オンにされると、前記禁止ＰＬＭＮアイデンティティを前記等価ＰＬＭＮリストから除去する
請求項８に記載の移動通信装置。
【請求項１１】
緊急ベアラサービスに用いる、サービスネットワークとのパケットデータ接続を有する移動通信装置であって、前記移動通信装置は、
使用を許可されない公衆陸上移動体ネットワーク（ＰＬＭＮ）のアイデンティティである禁止ＰＬＭＮアイデンティティを保存するメモリと、
前記サービスネットワークから等価ＰＬＭＮリストを受信する無線モジュールと、
前記緊急ベアラサービスが完了した後、前記等価ＰＬＭＮリストから前記禁止ＰＬＭＮアイデンティティを選択するのを禁止される制御モジュールと、
を含む移動通信装置。
【請求項１２】
前記無線モジュールは、無効化メッセージを前記サービスネットワークに更に送信して前記パケットデータ接続を解除し、
前記制御モジュールは、前記パケットデータ接続が解除された後、前記等価ＰＬＭＮリストから前記禁止ＰＬＭＮアイデンティティを選択するのを禁止される
請求項１１に記載の移動通信装置。
【請求項１３】
前記制御モジュールは、前記移動通信装置がスイッチオフまたは電源オンにされると、前記禁止ＰＬＭＮアイデンティティを前記等価ＰＬＭＮリストから選択するのを禁止される
請求項１１に記載の移動通信装置。
【発明の詳細な説明】
【技術分野】
【０００１】
本発明は、移動通信装置に関し、特に、緊急サービスが完了した後の緊急及び非緊急サービスのＰＬＭＮ選択手順の処理に関するものである。
【背景技術】
【０００２】
一般的な移動体通信環境において、ユーザー端末（ＵＥ）は、音声及び／またはデータ信号をサービスネットワークのセルラー基地局を介して１つ以上のサービスネットワークと通信させ得る。ユーザー端末とサービスネットワーク間の無線通信は、例えば、モバイル通信用グローバルシステム（Global System for Mobile communication; ＧＳＭ（登録商標））技術、汎用パケット無線サービス（General Packet Radio Service; ＧＰＲＳ）技術、ＧＳＭ進化型高速データレート（Enhanced Data rates for Global Evolution; ＥＤＧＥ）技術、広帯域符号分割多元接続（Wideband Code Division Multiple Access；ＷＣＤＭＡ）技術、符号分割多元接続２０００（Code Division Multiple Access 2000；ＣＤＭＡ ２０００）技術、時分割同期符号多元接続（Time Division-Synchronous Code Division Multiple Access；ＴＤ−ＳＣＤＭＡ）技術、ワイマックス（Worldwide Interoperability for Microwave Access；ＷｉＭＡＸ）技術、及びロングタームエボリューション（Long Term Evolution；ＬＴＥ）技術など種々の無線通信技術に準拠し得る。
【０００３】
上述のセルラー通信ネットワークにおいて、サービスネットワークが、その公衆陸上移動体ネットワーク（Public Land Mobile Network; ＰＬＭＮ）アイデンティティ（identities; ＩＤ）を一斉送信すること（broadcasting）によって、ネットワーク選択が行われる。ユーザー端末（ＵＥ）は、ＧＳＭ加入者識別モジュール（subscriber identity module; ＳＩＭ）または汎用加入者識別モジュール（universal subscriber identity module; ＵＳＩＭ）に保存されたＰＬＭＮ ＩＤの優先に基づいて自動ネットワーク選択を実行し得る。自動選択モードでは、ＰＬＭＮは、所定の優先順序の優先ＰＬＭＮリストからＵＥによって選択される。通常、ＵＥは、通常のデータサービスの条件の下では使用を許可されないＰＬＭＮ ＩＤのリストを含む禁止リストも含む。通常、ＵＥは、ネットワーク選択の前に優先ＰＬＭＮリストから禁止リストに存在する任意のＰＬＭＮ ＩＤを削除することで、ＵＥは、正常なデータサービスに対して禁止ＰＬＭＮを選択しないことができる。
【発明の概要】
【発明が解決しようとする課題】
【０００４】
しかしながら、緊急サービスの場合においては、使用を許可されない公衆陸上移動体ネットワーク（ＰＬＭＮ）である禁止ＰＬＭＮのアイデンティティ（ＩＤ）は、優先リストから除去されない。そのため、ユーザー端末（ＵＥ）は、禁止ＰＬＭＮを選択して登録することができ、非緊急サービスに用いるＰＬＭＮを選択する際に時間がかかって手順が遅れるといった問題を起こす可能性がある。よって、このような問題を起こさない、緊急及び非緊急サービスに用いるＰＬＭＮを選択するＰＬＭＮ選択方法及びその移動通信が必要となる。
【課題を解決するための手段】
【０００５】
本発明の１つの観点において、等価ＰＬＭＮリストを処理する方法が開示される。この方法は、緊急ベアラサービスのためのサービスネットワークとのパケットデータ接続を有し、禁止ＰＬＭＮアイデンティティを保存する移動通信装置によって実行される。この方法は、禁止ＰＬＭＮアイデンティティを含む等価ＰＬＭＮリストをサービスネットワークから受信するステップと、緊急ベアラサービスが完了した後、等価ＰＬＭＮリストから禁止ＰＬＭＮアイデンティティを除去するステップとを含む。
【０００６】
本発明のもう１つの観点において、ＰＬＭＮ選択方法が提供され、この方法は、緊急ベアラサービスに用いる、サービスネットワークとのパケットデータ接続を有し、禁止ＰＬＭＮアイデンティティを保存する移動通信装置によって実行される。ＰＬＭＮ選択方法は、禁止ＰＬＭＮアイデンティティを含む等価ＰＬＭＮリストをサービスネットワークから受信するステップと、緊急ベアラサービスが完了した後、等価ＰＬＭＮリストから禁止ＰＬＭＮアイデンティティを選択することが禁止されるステップとを含む。
【０００７】
本発明のまたもう１つの観点において、緊急ベアラサービスに用いる、サービスネットワークとのパケットデータ接続を有する移動通信装置が提示される。移動通信装置は、禁止ＰＬＭＮアイデンティティを保存するメモリと、サービスネットワークから等価ＰＬＭＮリストを受信する無線モジュールと、緊急ベアラサービスが完了した後、等価ＰＬＭＮリストから禁止ＰＬＭＮアイデンティティを除去する制御モジュールとを含む。
【０００８】
本発明のまたもう１つの観点において、緊急ベアラサービスに用いる、サービスネットワークとのパケットデータ接続を有する移動通信装置が開示される。移動通信装置は、禁止ＰＬＭＮアイデンティティを保存するメモリと、サービスネットワークから等価ＰＬＭＮリストを受信する無線モジュールと、緊急ベアラサービスが完了した後、等価ＰＬＭＮリストから禁止ＰＬＭＮアイデンティティを選択することが禁止される制御モジュールとを含む。
【発明の効果】
【０００９】
本発明によれば、緊急及び非緊急サービスに用いる公衆陸上移動体ネットワーク（ＰＬＭＮ）を選択する際に、手順が遅れるなどの問題がないＰＬＭＮ選択方法及びその移動通信を提供できる。
【００１０】
本発明の他の観点及び特徴は、緊急及び非緊急サービスに用いるＰＬＭＮ選択を処理する装置、システムおよび方法の特定の実施の形態の以下の記述をレビューすることによって、当業者にとって明白となるであろう。
【図面の簡単な説明】
【００１１】
本発明は、添付の図面に記された参照符号と併せて後に続く詳細な説明と実施例を読み取ることによって、より完全に理解され得る。
【図１】本発明の実施形態に基づいた移動通信環境を図解したブロック図である。
【図２】実施形態に基づく例示的なＰＬＭＮ選択方法２の流れ図である。
【図３】実施形態に基づく、もう１つの例示的なＰＬＭＮ選択方法３の流れ図である。
【発明を実施するための形態】
【００１２】
以下の記述は、本発明を実施するベストモードについてのものである。この記述は、本発明の一般原理を例示する目的で作成されたものであり、限定的な意味で理解すべきでない。３ＧＰＰ仕様書は、本発明の趣旨を教示するために用いられるものであり、本発明はこれに限定されない。
【００１３】
図１は、本発明の実施形態に基づく移動通信環境を図解するブロック図である。移動通信環境１００では、移動通信装置１１０は、移動通信サービスを受けるためにサービスネットワーク１２０に無線接続される。サービスネットワーク１２０は、汎用パケット無線サービス（ＧＰＲＳ）ネットワーク、ユニバーサル移動体通信システム（Universal Mobile Telecommunication System; ＵＭＴＳ）ネットワーク、またはロングタームエボリューション（Long Term Evolution; ＬＴＥ）ネットワークを含み得る。サービスネットワーク１２０は、セルラー基地局１２１及び制御ノード１２２を含み、セルラー基地局１２１は、制御ノード１２２によって制御され、サービスネットワーク１２０の無線送受信の機能を実行する。制御ノード１２２は、公衆交換電話網（Public Switched Telephone Network; ＰＳＴＮ）などの外部ネットワークとの整合のため、およびインターネットなどのインターネットプロトコル（ＩＰ）ベースのネットワークとの整合のために、コアネットワーク１２３に更に接続される。移動通信装置１１０は、通信のためにエンドユーザーによって直接用いられる任意の装置、例えば、手持ち式の携帯電話、ブロードバンドネットワークアダプタを備えているラップトップ、または他の任意の通信可能な装置である。移動通信装置１１０は、セルラー基地局１２１との無線送信及び受信の機能を実行する無線モジュール１１１を含む。更に明確にすると、無線モジュール１１１は、ベースバンドユニット（図示されていない）および無線周波数（ＲＦ）ユニット（図示されていない）を含み得る。ベースバンドユニットは、複数のハードウェアデバイスを含むことができ、アナログデジタル変換（ＡＤＣ）／デジタルアナログ変換（ＤＡＣ）、ゲイン調整、変調／復調、エンコーディング／デコーディングなどを含むベースバンド信号処理を実行する。ＲＦユニットは、ＲＦ無線信号を受信し、受信したＲＦ無線信号をベースバンド信号に変換し得る。ベースバンド信号は、ベースバンドユニットによって処理されるか、または、ＲＦユニットが、ベースバンドユニットからベースバンド信号を受信し、受信したベースバンド信号を後に送信されるＲＦ無線信号に変換する。ＲＦユニットは、無線周波数の変換を実行する複数のハードウェアデバイスを含んでもよい。例えば、ＲＦユニットは、ベースバンド信号と無線通信システムの無線周波数で振動されるキャリアを乗算するミキサを含んでもよい。無線周波数は、広帯域符号分割多元接続（ＷＣＤＭＡ）システムに用いられる９００MHz、１９００MHzまたは２１００MHz、ＬＴＥシステムに用いられる９００MHz、２１００MHzまたは２.６GHz、または、用いられる無線アクセス技術（ＲＡＴ）によって決まるその他の無線周波数であり得る。また、移動通信装置１１０は、無線モジュール１１１及び他の機能的な構成要素（例えばマンマシーンインターフェース（ＭＭＩ）となる表示ユニット及び／またはキーパッド、アプリケーションまたは技術のプログラムコードを保存する記憶装置など）の動作を制御する制御モジュール１１２を含む。１つの実施形態では、サービスネットワーク１２０はＷＣＤＭＡシステムであってもよく、移動通信装置１１０はＴＳ２４．００８及びＴＳ２３．１２２仕��書及びＷＣＤＭＡ技術の他の関連した仕様書に準拠したユーザー端末（ＵＥ）であってもよい。他の選択肢として、移動通信装置１１０は、ＷＣＤＭＡまたはＬＴＥ技術の両方の仕様書に準拠したＵＥであってもよい。本発明はそれに限定されるものではない。
【００１４】
移動通信装置１１０は、移動通信環境１００に入ると、その存在がＧＰＲＳまたはＰＳアタッチ手順を通してサービスネットワーク１２０によって知られる。“ＧＰＲＳアタッチ”の用語は、ＧＰＲＳシステムに用いられ、ＰＳアタッチは、ＵＭＴＳまたはＬＴＥシステムに用いられる。ＧＰＲＳまたはＰＳアタッチ手順が完了した後、移動通信装置１１０は、サービスネットワーク１２０からATTACH ACCEPTメッセージ内のＰＬＭＮ ＩＤのリストを受信する。ＰＬＭＮ ＩＤとは、公衆陸上移動体ネットワーク（ＰＬＭＮ）のアイデンティティ（ＩＤ）である。ＰＬＭＮ ＩＤのリストは、等価ＰＬＭＮリストと呼ばれる。移動通信装置１１０は、等価ＰＬＭＮリストをＳＩＭカード１１３または任意の他のローカルメモリに保存する。ＰＬＭＮは、セルラー基地局１２１、制御ノード１２２及びコアネットワーク１２３を含むアクセスネットワークからなるサービスネットワークである。各ＰＬＭＮは、モバイル国コード（Mobile Country Code; ＭＣＣ）及びモバイルネットワークコード（Mobile Network Code； ＭＮＣ）からなるＰＬＭＮ ＩＤによって、ただ一つのものとして識別され、ＭＣＣは、ネットワークが配置された国を示しており、ＭＮＣは、国内のネットワークを識別する。等価ＰＬＭＮリストの各ＰＬＭＮは、ＰＬＭＮ選択または再選択、セル選択または再選択、及びハンドオーバー手順に関して互いに等しい。いくつかの実施形態において、同じまたは異なる国のＧＳＭ及びＵＭＴＳネットワークの両方を所有している通信事業者は、各ＰＬＭＮに対して異なるＰＬＭＮコードを用いることができ、各ＰＬＭＮコードは、移動通信装置１１０がアクセスするための等価ＰＬＭＮリストに収集される。他の実施形態では、無線カバレッジ（radio coverage）の最適化のためにいくつかの通信事業者によって共有されるモバイルネットワークも等価ＰＬＭＮリストに含まれる。移動通信装置１１０は、無線アクセス技術を問わず、等価ネットワークに属するセルまたはＰＬＭＮを選択することができる。
【００１５】
ＧＰＲＳ／ＰＳアタッチ手順後、移動通信装置１１０は、ＰＬＭＮ選択を実行し、等価ＰＬＭＮリストからＰＬＭＮを検索してデータサービスを取得する。移動通信装置１１０は、カバレッジ状態の欠如から回復した時、または移動加入者がＰＬＭＮ再選択を要求した時、オンにされる度に、ＰＬＭＮ選択を実行する。ＰＬＭＮ選択手順は、自動または手動のどちらも可能であり、３ＧＰＰの仕様書ＴＳ２３．１２２に準拠している。移動通信装置１１０は、ＳＩＭカード１１３（または任意の他のローカルメモリ）に保存された、多数のリストを有し、前記リストは、ＰＬＭＮを見つけ出す助けをし、等価ＰＬＭＮリスト及び禁止ＰＬＭＮリストを含む。禁止ＰＬＭＮリストは、使用を許可されない公衆陸上移動体ネットワーク（ＰＬＭＮ）のアイデンティティ（ＩＤ）である禁止ＰＬＭＮ ＩＤのリストを含む。等価ＰＬＭＮリストは、優先ローミングネットワークのリストであり、通常、ホームＰＬＭＮ通信事業者によってＳＩＭカードに書き込まれる。このリストの最上部に、移動通信装置１１０が最後に登録されたネットワークがあり、これは移動局が在外のネットワークで登録を行った時にリストの最上部に自動的に配置されたものである。移動通信装置１１０は、常にこのＰＬＭＮを優先に検索し、次いでＨＰＬＭＮを検索し、次いで等価リスト上の他のネットワークを検索する。禁止ＰＬＭＮリストは、移動局が登録を試みたＰＬＭＮのリストであるが、ホームＰＬＭＮと在外ネットワークとの間にローミング協定がないため、拒否された可能性がある。ＳＩＭカード１１３内の禁止ＰＬＭＮリストは、移動通信装置１１０がオフにされ、またはＳＩＭ情報が抽出された時、除去されない。禁止ＰＬＭＮリストの選択的な拡張は、移動通信装置１１０のローカルメモリ（図示されていない）に保存されてもよい。非緊急サービスに用いるＰＬＭＮを検索中に禁止リストに登録されたＰＬＭＮ ＩＤを移動通信装置１１０が発見した場合、移動通信装置は、ＰＬＭＮ選択プロセスでそれを拒否する。緊急サービスに用いるＰＬＭＮを検索中、移動通信装置１１０は、禁止ＰＬＭＮリストを無視して、等価ＰＬＭＮリストからＰＬＭＮを見つける。緊急サービス及び非緊急サービスの両方は、ベアラサービスまたはテレサービスでもよく、また回線交換（circuit-switched）方式、またはパケット交換（packet-switched）方式のサービスでもよい。いくつかの実施例では、緊急サービスは、ＩＭＳ通話サービス（call service）及びベアラサービスである。ＩＭＳ緊急サービスは、アタッチタイプ“ＧＰＲＳ緊急アタッチ（Emergency Attach）”によってアタッチ手順に示される。手動モードのＰＬＭＮ選択では、移動通信装置１１０は、全ての発見されたＰＬＭＮ ＤＩを、禁止ＰＬＭＮ ＩＤを含んで加入者に提示する。禁止ＰＬＭＮ ＩＤは、ＰＬＭＮ選択のプロセス中に登録が成功した時、禁止ＰＬＭＮリストから除去される。
【００１６】
従来、移動通信装置は、緊急サービスに登録する時、禁止ＰＬＭＮ ＩＤを等価ＰＬＭＮリストに保留している。禁止ＰＬＭＮ ＩＤは、等価ＰＬＭＮリスト内にとどまっているため、移動通信装置は、緊急サービスが完了された後、非緊急サービスに用いる禁止ＰＬＭＮ ＩＤを選択できる。登録は、再び拒否される可能性があり、移動通信装置は、他のＰＬＭＮの検索に時間がかかり、キャンプ・オン（camp on; 待機登録）となってしまう。その結果、ＰＬＭＮ選択及び登録手順は遅れ、よって非緊急サービスの提供が遅れる。
【００１７】
本実施形態では、移動通信装置１１０は、緊急サービスが完了された後、禁止リストで非緊急サービスに用いるＰＬＭＮ ＩＤを選択するのが禁止される。いくつかの実施形態では、緊急サービスが完了すると、移動通信装置１１０は、禁止ＰＬＭＮ ＩＤを等価ＰＬＭＮリストから除去する。もう１つの実施形態では、通信装置１１０は、装置をオフにする前に、禁止ＰＬＭＮ ＩＤを等価ＰＬＭＮリストから除去する。またもう１つの実施形態では、通信装置１１０は、装置がオンにされた時、禁止ＰＬＭＮ ＩＤを等価ＰＬＭＮリストから除去する。またもう１つの実施形態では、通信装置１１０は、緊急サービスが終了された後、前記禁止ＰＬＭＮリスト内にあるそれら以外の等価ＰＬＭＮリストからＰＬＭＮ ＩＤを選択する。本実施形態に基づくＰＬＭＮ選択手順は、図２及び図３に詳述される。
【００１８】
図２は、図１の移動通信装置１１０に組み込まれる、本実施形態に基づく例示的なＰＬＭＮ選択方法２の流れ図である。
【００１９】
起動すると、移動通信装置１１０は、サービスネットワーク１２０にアタッチされ（Ｓ２００）、ＰＬＭＮを選択して緊急ＰＤＮ接続を確立する（Ｓ２０２）。ＰＬＭＮ登録が成功したときは、制御モジュール１１２は、ＰＤＰ／ＰＤＮコンテキスト起動（context activation）手順を実行し、移動通信装置１１０とサービスネットワーク１２０との間の緊急パケットデータ接続を確立して、緊急ＩＭＳ通話サービスを受ける。移動通信装置１１０は、サービスネットワーク１２０から、ATTACH ACCEPTメッセージまたはROUTING AREA UPDATE ACCEPTメッセージのどちらかにある等価ＰＬＭＮリストを受信する（Ｓ２０４）。ATTACH ACCEPTメッセージは、ＧＰＲＳ／ＰＳアタッチ手順で受信され、ROUTING AREA UPDATE ACCEPTメッセージは、ルーティング領域（routing area）更新手順で受信され、手順の完了を信号で送る。ＧＰＲＳ／ＰＳアタッチ手順は、移動通信装置が非緊急及び緊急タイプを含む、パケットベースのデータサービスを要求した時に生じる。アタッチタイプは、“ＧＰＲＳ緊急アタッチ”とラベル付けされ、緊急パケットベースのアタッチ要求であることが示される。ルーティング領域更新手順は、ＧＰＲＳ／ＰＳアタッチの移動通信装置が、それが新しいルーティング領域に入ったこと、および新しい領域のサービスネットワーク１２０を知らせる意志を検出したときに行われる。緊急のＩＭＳ通話の場合、サービスネットワーク１２０が１つ以上の禁止ＰＬＭＮリストのメンバー（member）を含む等価ＰＬＭＮリストを有するATTACH ACCEPTメッセージまたはROUTING AREA UPDATE ACCEPTメッセージを返信した時、制御モジュール１１２は、ＰＬＭＮ選択に用いる禁止ＰＬＭＮ ＩＤをリストに保留する。一旦、緊急サービスが完了すると、制御モジュールは、緊急通話サービスに関連したローカルＰＤＰ／ＰＤＮコンテキストを無効化（deactivation）にすることで、緊急パケットデータ接続を解除し、且つ無線モジュール１１１は、無効化要求メッセージをサービスネットワークＳ１２０に送信することでＰＤＰ／ＰＤＮコンテキスト無効化手順を初期化するため、両方の側で緊急サービスに用いる緊急パケットデータ接続を解除する（Ｓ２０６）。緊急サービスが完了し、緊急パケットデータ接続が解除された後、制御モジュール１１２は、等価リストから禁止ＰＬＭＮ ＩＤを除去する（Ｓ２０８）ため、禁止ＰＬＭＮは、次のパケットデータサービスに選択されることがなくなり、よって、ＰＬＭＮ選択方法２を完了する。いくつかの実施形態では、制御モジュール１１２は、緊急サービスの完了直後、禁止ＰＬＭＮ ＩＤを削除する。他の実施形態では、通信装置１１０は、スイッチオフ手順中、禁止ＰＬＭＮ ＩＤを除去する。また他の実施形態では、通信装置１１０は、スイッチオン段階中、禁止ＰＬＭＮ ＩＤを除去する。
【００２０】
本実施形態は、緊急サービスが完了した後、等価リストから禁止ＰＬＭＮ ＩＤを除去し、移動通信装置が無効のＰＬＭＮ登録を要求するのを防ぐことで、選択の効率を上げ、且つ通信サービスを提供する遅れを減少する、移動通信装置に用いるＰＬＭＮ選択方法を提供する。
【００２１】
図３は、図１の移動通信装置１１０に組み込まれる、本実施形態によるもう１つの例示的なＰＬＭＮ選択方法３の流れ図である。ステップＳ３００〜Ｓ３０６は、ＰＬＭＮ選択方法２のステップＳ２００〜Ｓ２０６と全く同じであり、簡略にするため再度述べない。ステップＳ３１０では、非緊急サービスを要求する場合に、制御モジュール１１２は、禁止ＰＬＭＮリストの任意のメンバー以外の等価ＰＬＭＮリストから通常のＰＬＭＮ ＩＤを選択する。いくつかの実施形態では、制御モジュール１１２は、等価リストからＰＬＭＮ ＩＤを選択し、選択したＩＤと禁止リストのリストを比較し、且つ選択したＰＬＭＮ ＩＤが禁止リストにないときは、ＰＬＭＮ登録の要求だけをする。１つの実施形態では、制御モジュール１１２は、緊急サービスの直後、非緊急サービスに用いる通常のＰＬＭＮを選択する。もう１つの実施形態では、制御モジュール１１２は、移動通信装置１１０の電源がオンにされた時、非緊急サービスに用いる通常のＰＬＭＮを選択する。
【００２２】
本実施形態は、緊急サービスが完了した後、等価リストから禁止ＩＤ以外のＰＬＭＮ ＩＤを選択し、移動通信装置が緊急サービスに用いる無効のＰＬＭＮ登録を要求するのを防ぐことで、選択の効率を上げ、且つ通信サービスを提供する遅れを減少する、移動通信装置に用いるもう１つのＰＬＭＮ選択方法を提供する。
【００２３】
ここで開示された態様に関連して記述される種々の例示の論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブルロジックデバイス、個別のゲートあるいはトランジスタロジック、個別のハードウェア構成機器、または、ここに記述された機能を行うために設計されたそれらの組み合わせと共に組み込まれ、または、動作するものであってもよい。汎用プロセッサはマイクロプロセッサでもよいが、代わりに、プロセッサは任意の商用のプロセッサ、コントローラ、マイクロコントローラまたはステート・マシン（状態機械）でもよい。
【００２４】
ここに述べられた種々のロジカルブロック、モジュール、及び回路の動作及び機能は、回路ハードウェア、またはプロセッサによってアクセスされ、実行され得る埋め込みソフトウェアコードに組み込まれ得る。
【００２５】
この発明は、実施例の方法及び望ましい実施形態によって記述されているが、本発明は、開示された実施形態に限定されるものではないと理解すべきである。逆に、これは、種々の変更及び同様の配置をカバーすることを意図したものである（当業者には明白なように）。よって、添付の請求の範囲は、最も広義な解釈が与えられ、全てのこのような変更及び同様の配置を含むべきである。
【符号の説明】
【００２６】
１００…移動通信環境、
１１０…移動通信装置、
１１１…無線モジュール、
１１２…制御モジュール、
１１３…ＳＩＭカード、
１２０…サービスネットワーク、
１２１…セルラー基地局、
１２２…制御ノード、
１２３…コアネットワーク。
【図１】
0005275422.tif 000002
【図２】
0005275422.tif 000003
【図３】
0005275422.tif 000004